(57)【要約】【課題】文字認識処理を施して管理すべき原稿に対する画像データ入力作業を通常日の特定の時間帯に短時間に終了させ、かつ、該画像データ入力作業後の文字認識処理実行タイミングで実行させること。【解決手段】管理される書誌情報に基づいて原稿入力管理票形式に従う原稿仕切シートを印刷し、該印刷された原稿仕切シートと各原稿からなる一連の原稿画像を順次読み取って得られる画像データを認識される前記原稿仕切りシート上の書誌情報に応じて画像処理部５６に蓄積し、ジョブ制御部５４が指定される文字認識処理実行日時に、蓄積された画像データに基づいて認識した所定のテキストデータと取得される前記書誌情報とを照合して、該蓄積されている画像データに対するＯＣＲ処理部５３による認識処理実行を制御する構成を特徴とする。【選択図】      図１
2004213304.tif 000002
【特許請求の範囲】
【請求項１】
ネットワークを介して原稿画像を読み取る画像読取り装置またはクライアントＰＣと通信可能なデータ処理装置であって、
前記画像読取り装置から読み取られる画像データに文字認識処理を施してテキストデータを生成する文字認識処理手段と、
クライアントＰＣより前記画像読取り装置から読み取らせる原稿情報に対する書誌情報を取得して管理する書誌情報管理手段と、
前記書誌情報管理手段で管理される書誌情報に基づいて原稿入力管理票形式に従う原稿仕切シートを印刷する印刷手段と、
前記原稿仕切シートと各原稿からなる一連の原稿画像を順次読み取って得られる画像データを前記文字認識処理手段が認識する前記原稿仕切りシート上の書誌情報に応じて蓄積する画像蓄積手段と、
を有することを特徴とするデータ処理装置。
【請求項２】
指定される文字認識処理実行日時に、前記画像蓄積手段に蓄積された画像データに基づいて前記文字認識処理手段が認識した所定のテキストデータと取得される前記書誌情報とを照合して前記画像蓄積手段に蓄積されている画像データに対する前記文字認識処理手段による認識処理実行を制御する制御手段を更に備えることを特徴とする請求項１記載のデータ処理装置。
【請求項３】
前記画像読取り装置は、前記原稿仕切シートを検出しながら、複数束の原稿画像を連続して読み取り処理可能とすることを特徴とする請求項１又は２記載のデータ処理装置。
【請求項４】
前記印刷手段は、前記書誌情報管理手段で管理される書誌情報中の管理番号を複数の領域に印刷することを特徴とする請求項１〜３のいずれかに記載のデータ処理装置。
【請求項５】
前記印刷手段は、前記書誌情報管理手段で管理される書誌情報を識別する色画像を所定域に印刷することを特徴とする請求項１記載のデータ処理装置。
【請求項６】
前記印刷手段は、前記書誌情報管理手段で管理される書誌情報中の任意数の書誌項目と管理番号とを印刷することを特徴とする請求項１記載のデータ処理装置。
【請求項７】
前記印刷手段は、前記書誌情報管理手段で管理される書誌情報中の任意数の書誌項目と、管理番号と、識別情報とを印刷することを特徴とする請求項１記載のデータ処理装置。
【請求項８】
前記印刷手段は、前記書誌情報管理手段で管理される書誌情報中の任意数の書誌項目と、管理番号と、識別情報とをカラー印刷することを特徴とする請求項１記載のデータ処理装置。
【請求項９】
前記識別情報は、識別マーク，識別フォーム番号を含むことを特徴とする請求項７又は８記載のデータ処理装置。
【請求項１０】
前記制御手段は、前記画像蓄積手段に蓄積された画像データに基づいて前記文字認識処理手段が認識した所定のテキストデータと取得される前記書誌情報との照合結果を判別して、該判別結果を文字認識処理管理レポートに設定することを特徴とする請求項１記載のデータ処理装置。
【請求項１１】
前記制御手段は、いずれかのクライアントＰＣからの管理レポート閲覧要求に基づき、前記文字認識処理管理レポートを要求元のクライアントＰＣに通知することを特徴とする請求項１０記載のデータ処理装置。
【請求項１２】
前記制御手段は、いずれかのクライアントＰＣからの登録指示に基づいて、前記文字認識処理手段により生成されたテキストデータと管理情報とを含む電子化ファイルを前記ネットワークに接続可能なデータベースサーバに転送することを特徴とする請求項１０記載のデータ処理装置。
【請求項１３】
前記画像読取り装置は、自動原稿給送装置から給送される原稿画像を読み取り可能とすることを特徴とする請求項１記載のデータ処理装置。
【請求項１４】
ネットワークを介して原稿画像を読み取る画像読取り装置またはクライアントＰＣと通信可能であり、前記画像読取り装置から読み取られる画像データに文字認識処理を施してテキストデータを生成する文字認識処理手段を有するデータ処理装置におけるデータ処理方法であって、
クライアントＰＣより前記画像読取り装置から読み取らせる原稿情報に対する書誌情報を取得して管理する書誌情報管理ステップと、
前記書誌情報管理ステップで管理される書誌情報に基づいて原稿入力管理票形式に従う原稿仕切シートを印刷する印刷ステップと、
前記原稿仕切シートと各原稿とからなる一連の原稿画像を順次読み取って得られる画像データを前記文字認識処理手段が認識する前記原稿仕切りシート上の書誌情報に応じて画像蓄積手段に蓄積する画像蓄積ステップと、
を有することを特徴とするデータ処理方法。
【請求項１５】
指定される文字認識処理実行日時に、前記画像蓄積手段に蓄積された画像データに基づいて前記文字認識処理手段が認識した所定のテキストデータと取得される前記書誌情報とを照合して前記画像蓄積手段に蓄積されている画像データに対する前記文字認識処理手段による認識処理実行を制御する制御ステップを更に有することを特徴とする請求項１４記載のデータ処理方法。
【請求項１６】
前記制御ステップは、前記画像蓄積手段に蓄積された画像データに基づいて前記文字認識処理手段が認識した所定のテキストデータと取得される前記書誌情報との照合結果を判別して、該判別結果を文字認識処理管理レポートに設定することを特徴とする請求項１５記載のデータ処理方法。
【請求項１７】
前記制御ステップは、いずれかのクライアントＰＣからの管理レポート閲覧要求に基づき、前記文字認識処理管理レポートを要求元のクライアントＰＣに通知することを特徴とする請求項１５記載のデータ処理方法。
【請求項１８】
前記制御ステップは、いずれかのクライアントＰＣからの登録指示に基づいて、前記文字認識処理手段により生成されたテキストデータと管理情報とを含む電子化ファイルを前記ネットワークに接続可能なデータベースサーバに転送することを特徴とする請求項１５記載のデータ処理方法。
【請求項１９】
請求項１４〜１８のいずれかに記載のデータ処理方法を実行するためのプログラムを記録したことを特徴とするコンピュータが読み取り可能な記録媒体。
【請求項２０】
請求項１４〜１８のいずれかに記載のデータ処理方法を実行するためのプログラム。
【発明の詳細な説明】
【０００１】
【発明の属する技術分野】
本発明は、文書画像を読み取って得られる画像に対して所定の文字認識処理を実行してテキストデータを生成する文書処理を実行可能なデータ処理装置およびデータ処理方法およびコンピュータが読み取り可能な記録媒体およびプログラムに関するものである。
【０００２】
【従来の技術】
従来、この種のデータ処理装置を含む種々の画像処理を行う複合機が数多く提案されており、従来書面で扱っていた情報を文字認識処理を伴って電子化して管理する要求にも対応できるように構成されたものもある。
【０００３】
そして、上記のデータ処理装置を利用して膨大な書面データを電子化しようとする試みも、官民を問わず行われている。例えば官庁等における、いわゆる電子政府において、膨大な過去の紙文書を如何に効率良く電子化し活用しり、関連する民間企業で該電子化された情報を利用するシステムを構築しよとする動きも具体化されようとしている。
【０００４】
そして、上記のようなデータ処理装置を利用して、紙文書をＯＣＲ処理することにより電子化し、全文検索を可能にすることで行政の効率化や情報公開請求に応えられるようにしたいという要求も高まっている。
【０００５】
【発明が解決しようとする課題】
しかし、実際に膨大な紙文書を上記のような従来のデータ処理装置で電子化するに当たっては多くの課題が残されている。
【０００６】
例えばユーザが入力した書誌情報と画像データの関連付けを失敗すれば、いざ文書を参照しようとしても、例え正しい書誌情報を入力していても、該当する画像データを参照できなくなってしまう。
【０００７】
一方、文書全部をＯＣＲで一括してテキスト化すれば書誌情報の入力は必要ないが、ＯＣＲの精度は以前より大幅に改善されたものの、なお完全ではない。
【０００８】
そこで、文書画像の電子化では、全部ＯＣＲ処理し、テキスト化された一部を目視でチェック・修正する方法等が考えられる。
【０００９】
なお、特開２００２−２９０６６１公報（従来技術１）には、この種のデータ処理の従来技術として、複写機側でインデックス情報（分類やキーワード）等を入力後、付加情報と画像データとをパソコン（ＰＣ）側に送信する。そして、ＰＣ側ではデータベース用のデータ形式に変換した上でハードディスク等のＤＢに登録して管理する技術が開示されている。
【００１０】
しかしながら、従来技術１では、複写機でキーワード入力後に１件ずつ画像データをＰＣに送信するので、付加情報と画像データの関連付けは容易な反面、キーワード入力と画像読み込みを同時に行うことができず、すなわち、複写機が実際に画像を読み込んでいる時間が短いにもかかわず、全体として作業効率が悪い。
【００１１】
また、従来技術１において、もし、同時に複数件のキーワード入力と画像読み込みを同時に行うと関連付けができなくなるという不具合も発生する。特に、文書の検索を容易にするためにキーワードの量を多くするとこの作業効率の問題は顕著になる。
【００１２】
また、文書の分類とキーワードの組み合わせで検索する方法では、複数の部門に関連する文書をどの部門の分類とするか迷ったり基準が統一されなくなる問題、いわゆる蝙蝠問題が生じてしまう。
【００１３】
結局、分類とキーワードに頼る方式では、たとえば部門を跨る文書の検索に困難が生じ、それを避けようとすれば同一の文書を関係部門の数だけ記憶する必要が生じ、記憶装置の必要容量が大きくなる。更にキーワードが不適切であれば、文書が検索時にヒットせず、文書が死蔵化される恐れがある。
【００１４】
また、特開平１０−２１３８０号公報（従来技術２）には、タイトルエリアの文書タイトルをＯＣＲで文字認識するとともに、文書の先頭ページに総ページ数を記載しておき、その総ページ数を文字認識して文書の区切りを判定しながら画像ファイル処理を行う電子ファイリングシステムが開示されている。
【００１５】
しかしながら、従来技術２においては、古い様様の文書では一定のタイトルエリアが用意されていないことが多く、この方法は新しい文書（ワープロ等もともと電子データがある文書）に対してしか使えないという問題がある。
【００１６】
また、文書作成時には総ページ数が記入されていたとしても、文書の改訂時に内容が追加され、総ページが増えたり、内容の一部の削減時に総ページ数が減少することは頻繁に生じる。
【００１７】
更に、元文書に当初なかった添付文書が追加される場合や、文書のページ書式を変更しただけでも総ページ数は違ってしまう。
【００１８】
しかし、この総ページ数を文字認識して文書の区切りを判定する方法だと、随時総ページ数を確認し直すなど、文章作成側の負担が大きい。
【００１９】
結局、ファイル処理の変動により、文書登録時に記載された文書の先頭ページの総枚数と実際の文書の総枚数とが不一致となる場合が生じることは否めず、該不一致が発生した場合、電子化時に各文書の再度総枚数を数え直し、総枚数が間違っていた場合、元文書を訂正するか、枚数データを別途手入力する必要があり運用が非常に煩雑になる。
【００２０】
本発明は、上記の問題点を解決するためになされたもので、本発明の目的は、管理される書誌情報に基づいて原稿入力管理票形式に従う原稿仕切シートを印刷し、該印刷された原稿仕切シートと各原稿からなる一連の原稿画像を順次読み取って得られる画像データを認識される前記原稿仕切りシート上の書誌情報に応じて蓄積し、指定される文字認識処理実行日時に、蓄積された画像データに基づいて認識した所定のテキストデータと取得される前記書誌情報とを照合して、該蓄積されている画像データに対する認識処理実行を制御することにより、文字認識処理を施して管理すべき原稿に対する画像データ入力作業を通常日の特定の時間帯に短時間に終了させ、かつ、該画像データ入力作業後の文字認識処理実行タイミングを該通常日とは異なる画像処理システム環境で最もデータ処理稼働率の低い特定日に移行させることができ、システム全体として負荷がかかる通常日以外に、効率よく文字認識処理を実行させ、その結果をユーザが自在に確認できるデータ処理環境を構築できるデータ処理装置およびデータ処理方法および記録媒体およびプログラムを提供することである。
【００２１】
【課題を解決するための手段】
本発明に係る第１の発明は、ネットワークを介して原稿画像を読み取る画像読取り装置（図１に示すスキャンエンジン７２，図１０に示すスキャンエンジン５２）またはクライアントＰＣと通信可能なデータ処理装置（図１，図１０に示す情報処理サーバ５０）であって、前記画像読取り装置から読み取られる画像データに文字認識処理を施してテキストデータを生成する文字認識処理手段（図１，図１０に示すＯＣＲ処理部５３）と、クライアントＰＣより前記画像読取り装置から読み取らせる原稿情報に対する書誌情報を取得して管理する書誌情報管理手段（図１，図１０に示す書誌情報５５）と、前記書誌情報管理手段で管理される書誌情報に基づいて原稿入力管理票形式に従う原稿仕切シートを印刷する印刷手段（図１に示すプリントエンジン７２，図１０に示すプリントエンジン５８）と、前記原稿仕切シートと各原稿からなる一連の原稿画像を順次読み取って得られる画像データを前記文字認識処理手段が認識する前記原稿仕切りシート上の書誌情報に応じて蓄積する画像蓄積手段（図１，図１０に示す画像情報部５６）とを有することを特徴とする。
【００２２】
本発明に係る第２の発明は、指定される文字認識処理実行日時に、前記画像蓄積手段に蓄積された画像データに基づいて前記文字認識処理手段が認識した所定のテキストデータと取得される前記書誌情報とを照合して前記画像蓄積手段に蓄積されている画像データに対する前記文字認識処理手段による認識処理実行を制御する制御手段を更に有することを特徴とする。
【００２３】
本発明に係る第３の発明は、前記画像読取り装置は、前記原稿仕切シートを検出しながら、複数束の原稿画像を連続して読み取り処理可能とすることを特徴とする。
【００２４】
本発明に係る第４の発明は、前記印刷手段は、前記書誌情報管理手段で管理される書誌情報中の管理番号（図５に示す管理番号９２）を複数の領域に印刷することを特徴とする。
【００２５】
本発明に係る第５の発明は、前記印刷手段は、前記書誌情報管理手段で管理される書誌情報を識別する色画像を所定域に印刷することを特徴とする。
【００２６】
本発明に係る第６の発明は、前記印刷手段は、前記書誌情報管理手段で管理される書誌情報中の任意数の書誌項目と管理番号とを印刷することを特徴とする。
【００２７】
本発明に係る第７の発明は、前記印刷手段は、前記書誌情報管理手段で管理される書誌情報中の任意数の書誌項目と、管理番号と、識別情報とを印刷することを特徴とする。
【００２８】
本発明に係る第８の発明は、前記印刷手段は、前記書誌情報管理手段で管理される書誌情報中の任意数の書誌項目と、管理番号と、識別情報とをカラー印刷することを特徴とする。
【００２９】
本発明に係る第９の発明は、前記識別情報は、識別マーク，識別フォーム番号（図５に示すフォーム番号９１）を含むことを特徴とする。
【００３０】
本発明に係る第１０の発明は、前記制御手段は、前記画像蓄積手段に蓄積された画像データに基づいて前記文字認識処理手段が認識した所定のテキストデータと取得される前記書誌情報との照合結果を判別して、該判別結果を文字認識処理管理レポート（図９）に設定することを特徴とする。
【００３１】
本発明に係る第１１の発明は、前記制御手段は、いずれかのクライアントＰＣからの管理レポート閲覧要求に基づき、前記文字認識処理管理レポート（図９）を要求元のクライアントＰＣに通知することを特徴とする。
【００３２】
本発明に係る第１２の発明は、前記制御手段は、いずれかのクライアントＰＣからの登録指示に基づいて、前記文字認識処理手段により生成されたテキストデータと管理情報とを含む電子化ファイルを前記ネットワークに接続可能なデータベースサーバ（図１，図１０に示すデータベースサーバ８０）に転送することを特徴とする。
【００３３】
本発明に係る第１３の発明は、前記画像読取り装置は、自動原稿給送装置から給送される原稿画像を読み取り可能とすることを特徴とする。
【００３４】
本発明に係る第１４の発明は、ネットワークを介して原稿画像を読み取る画像読取り装置またはクライアントＰＣと通信可能であり、前記画像読取り装置から読み取られる画像データに文字認識処理を施してテキストデータを生成する文字認識処理手段を有するデータ処理装置におけるデータ処理方法であって、クライアントＰＣより前記画像読取り装置から読み取らせる原稿情報に対する書誌情報を取得して管理する書誌情報管理ステップ（図６のステップＳ５２１）と、前記書誌情報管理ステップで管理される書誌情報に基づいて原稿入力管理票形式に従う原稿仕切シートを印刷する印刷ステップ（図５のステップＳ５２２〜Ｓ５２６）と、前記原稿仕切シートと各原稿からなる一連の原稿画像を順次読み取って得られる画像データを前記文字認識処理手段が認識する前記原稿仕切りシート上の書誌情報に応じて画像蓄積手段に蓄積する画像蓄積ステップ（図７のステップＳ６０４〜Ｓ６１０）とを有することを特徴とする。
【００３５】
本発明に係る第１５の発明は、指定される文字認識処理実行日時に、前記画像蓄積手段に蓄積された画像データに基づいて前記文字認識処理手段が認識した所定のテキストデータと取得される前記書誌情報とを照合して前記画像蓄積手段に蓄積されている画像データに対する前記文字認識処理手段による認識処理実行を制御する制御ステップ（図８のステップＳ７０１〜Ｓ７０７，Ｓ７０９）とを有することを特徴とする。
【００３６】
本発明に係る第１６の発明は、前記制御ステップは、前記画像蓄積手段に蓄積された画像データに基づいて前記文字認識処理手段が認識した所定のテキストデータと取得される前記書誌情報との照合結果を判別して（図８のステップＳ７０５，Ｓ７０６）、該判別結果を文字認識処理管理レポートに設定する（図８のステップＳ７０７，Ｓ７０９）ことを特徴とする。
【００３７】
本発明に係る第１７の発明は、前記制御ステップは、いずれかのクライアントＰＣからの管理レポート閲覧要求に基づき、前記文字認識処理管理レポートを要求元のクライアントＰＣに通知する（図示しないステップ）ことを特徴とする。
【００３８】
本発明に係る第１８の発明は、前記制御ステップは、いずれかのクライアントＰＣからの登録指示に基づいて、前記文字認識処理手段により生成されたテキストデータと管理情報とを含む電子化ファイルを前記ネットワークに接続可能なデータベースサーバに転送する（図示しないステップ）ことを特徴とする。
【００３９】
本発明に係る第１９の発明は、第１４〜第１８の発明のいずれかに記載のデータ処理方法を実行するためのプログラムをコンピュータが読み取り可能な記録媒体に記録したことを特徴とする。
【００４０】
本発明に係る第２０の発明は、第１４〜第１８の発明のいずれかに記載のデータ処理方法を実行するプログラムであることを特徴とする。
【００４１】
【発明の実施の形態】
〔第１実施形態〕
図１は、本発明の第１実施形態を示すデータ処理装置を適用可能な文書ファイルシステムの一例を示すブロック図である。
【００４２】
図１において、５０は所定のＯＳ（例えばＵＮＩＸ（登録商標）やＷＩＮＤＯＷＳ（登録商標）が含まれる）でデータ処理を行う情報処理サーバである。
【００４３】
５１は制御部で、ＯＣＲ処理部５３，ジョブ制御部５４，登録処理部５９を統括的に制御して、文書ファイルシステムを制御する。
【００４４】
ＯＣＲ処理部５３は、例えばネットワーク１０を介して受信する画像データ中の文字認識処理を行うプログラム及び認識用辞書を備えている。
【００４５】
ジョブ制御部５４は、夜間あるいは休日等所望の時間（詳述するように指定される）にＯＣＲ処理等のジョブを実行させる為のプログラム及び実行パラメータ、ＯＣＲ処理結果情報を記憶する。
【００４６】
登録処理部５９は一意の管理番号の採番や、画像の登録の為のフォルダ生成や、書誌情報及び画像情報及びテキスト情報のデータベース８１への登録処理を行う。
【００４７】
５５は書誌情報部で、クライアントＰＣ６２あるいはクライアントＰＣ６３から入力される収受文書名、収受年月日、文書作成元、主管部門、文書区分、検索キーワード、保管期限、ＯＣＲ区分の他、文書の保管部門等を含む書誌情報を一時的に管理記憶する。クライアントＰＣ６２あるいはクライアントＰＣ６３は、ユーザから入力される書誌情報を書誌情報部５５へ登録指示を行う。
【００４８】
５６は画像情報部で、ネットワーク１０介して通信可能な複合機７０のスキャンエンジン７２によって読み込まれた画像データを一時的に保管管理する。なお、画像情報部５６は、管理番号と同じ又は管理番号に対応付けられたフォルダ名に１つの文書の各ページに対応した画像データを一時的に記憶管理するものとする。
【００４９】
５７はテキスト情報部で、ＯＣＲ処理部５３によるＯＣＲ処理によって文字認識されたテキストデータを一時的にデータ保管管理する。テキスト情報部５７は管理番号と同じ又は管理番号に対応付けられたファイル名でページ区切り記号付のテキストデータを一時的に管理記憶する。
【００５０】
なお、複合機７０は、ＣＣＤ等の撮像素子を備えたスキャンエンジン７２と、入力されるＰＤＬデータを印刷する機能と、スキャンエンジン７２から出力される画像データを印刷する機能とを備えたプリントエンジン７３を備え、スキャンエンジン７２とプリンタエンジト７３とは相互に通信可能に構成されている。また、図示しないネットワークコントローラと通信Ｉ／Ｆを備えて、ネットワーク１０を介して、情報処理サーバ５０あるいはクライアント６２あるいはクライアント６３と通信可能に構成されている。
【００５１】
また、プリントエンジン７３は、例えばカラーレーザビームプリントエンジンで構成されるものとするが、インクジェットプリントエンジンで構成されたり、モノクロレーザビームプリントエンジンで構成されていてもよい。
【００５２】
さらに、７１はハードディスク等の記憶装置で、例えば複合機７０に印刷すべきジョブ（画像情報）を記憶したり、電子ソート機能を実行させる際に、ラスタイメージファイルを記憶する等に利用される。
【００５３】
６１はジョブ管理を行うクライアントＰＣで、負荷の重いＯＣＲ処理をジョブが込み合わない時間帯、例えば昼休み中や、夜間及び休日に行うためのジョブ制御情報をジョブ制御部５４に登録して、ＯＣＲジョブの結果を確認することができるように構成されている。なお、クライアントＰＣ６２あるいはクライアントＰＣ６３において、ＯＣＲジョブの結果を確認することができるように構成することは任意である。
【００５４】
８０はデータベースサーバで、外部記憶装置で構成されるデータベース８１を備え、図示しないネットワークコントローラ，通信Ｉ／Ｆを介して情報処理サーバ５０から受信する書誌情報、画像情報、テキスト情報を関連づけされた状態のファイルを一元管理する。
【００５５】
なお、仕切用紙の印刷を不図示の他のプリンタ（例えばクライアントＰＣ６２またはクライアントＰＣ６３にローカル接続されているプリンタ）で実行させるように構成してもよい。
【００５６】
図２は、図１に示した情報処理サーバ５０の構成を説明するブロック図であり、図１と同一のものには同一の符号を付してある。
【００５７】
図２において、ＣＰＵ２１は、ＨＤ（ハードディスク）２８に格納されているアプリケーションプログラム、プリンタドライバプログラム、ＯＳやネットワークプリンタ制御プログラム等を実行し、ＲＡＭ２２にプログラムの実行に必要な情報、ファイル等を一時的に格納する制御を行う。
【００５８】
ＲＯＭ２３には、基本Ｉ／Ｏプログラム等のプログラム、文書処理の際に使用するフォントデータ、テンプレート用データ等の各種データを記憶する。２２はＲＡＭであり、ＣＰＵ２１の主メモリ、ワークエリア等として機能する。
【００５９】
２４はＬＡＮＩ／Ｆで、ネットワーク１０を介して所定プロトコルでクライアントＰＣ６１〜６３や複合機７０あるいはデータベースサーバ８０と通信可能に構成されている。
【００６０】
２７はＣＤ−ＲＯＭドライブであり、ＣＤ−ＲＯＭを通じてアプリケーションまたはデータロードすることができる。
【００６１】
２８はＨＤであり、アプリケーションプログラム、プリンタドライバプログラム、ＯＳ、ネットワークプリンタ制御プログラム、関連プログラム等を格納している。
【００６２】
２６はキーボードであり、ユーザがクライアントＰＣに対して、デバイスの制御コマンドの命令等を入力指示するものである。２９はモニタであり、キーボード２６から入力したコマンドや、プリンタの状態等をビデオアダプタ２５を介して表示したりするものである。３０はシステムバスであり、クライアントコンピュータ内のデータの流れを司るものである。
【００６３】
図３は、図１に示したクライアントＰＣ６１〜６３の構成を説明するブロック図であり、図１と同一のものには同一の符号を付してある。
【００６４】
図２において、ＣＰＵ３１は、ＨＤ（ハードディスク）３８に格納されているアプリケーションプログラム、プリンタドライバプログラム、ＯＳやネットワークプリンタ制御プログラム等を実行し、ＲＡＭ２２にプログラムの実行に必要な情報、ファイル等を一時的に格納する制御を行う。
【００６５】
ＲＯＭ３３には、基本Ｉ／Ｏプログラム等のプログラム、文書処理の際に使用するフォントデータ、テンプレート用データ等の各種データを記憶する。３２はＲＡＭであり、ＣＰＵ３１の主メモリ、ワークエリア等として機能する。
【００６６】
３４はＬＡＮＩ／Ｆで、ネットワーク１０を介して所定プロトコルでクライアントＰＣ６１〜６３間や複合機７０（図１）あるいはデータベースサーバ８０と通信可能に構成されている。
【００６７】
３７はＣＤ−ＲＯＭドライブであり、ＣＤ−ＲＯＭを通じてアプリケーションまたはデータロードすることができる。３８はＨＤであり、アプリケーションプログラム、プリンタドライバプログラム、ＯＳ、ネットワークプリンタ制御プログラム、関連プログラム等を格納している。
【００６８】
３６はキーボードであり、ユーザがクライアントコンピュータに対して、デバイスの制御コマンドの命令等を入力指示するものである。４０はモニタであり、キーボード３６から入力したコマンドや、プリンタの状態等をビデオアダプタ３５を介して表示したりするものである。３９はシステムバスであり、クライアントＰＣ内のデータの流れを司るものである。
【００６９】
図４は、図２に示したクライアントＰＣ６２あるいはクライアントＰＣ６３のモニタ４０に表示される書誌情報入力画面の一例を示す図であり、図１に示した書誌情報部５５から受信する画面情報に基づいて、あらかじめ設定されたフォーマットで表示される画面例に対応する。なお、クライアントＰＣ６２あるいはクライアントＰＣ６３で書誌情報の登録指示がなされると、当該画面データを示すＩＤと設定データが情報処理サーバ５０の書誌情報部５５に転送されて登録される。
【００７０】
図４において、４０１は収受文書名で、受け取った文書の名称が設定される。４０２は収受年月日で、文書を受け取った年月日が設定される（原則として入力時のシステム日付が表示されるが修正することができる）。４０３は文書作成元で、受取った文書を作成した組織（省庁や会社等）の名称が設定される。
【００７１】
４０４は主管部門で、当該文書を管理する部門が設定される。４０５は文書区分で、データベース８１で登録される画像ファイルを、例えば一般文書、機密文書、極秘文書の区別で管理するための情報が設定される。
【００７２】
４０６は検索キーワードで、検索時にキーワードとして役立つと思われる言葉が設定される。なお、検索キーワードは、単数でも複数でもよく、必ずしも入力する必要はない。
【００７３】
４０７は保管期限で、データベース８１で登録される画像ファイルとしての文書の保管年数が設定される。４０８はＯＣＲ区分で、ＯＣＲ処理形態を自動／手動／対象外のいずれかで設定可能に構成されている。「対象外」とはＯＣＲ処理の対象文章ではない旨を意味する。４０９は登録ボタンで、該ボタンが押下指示されると、設定された内容の情報がコマンドとともに、情報処理サーバ５０に送信される。４１０は終了ボタンで、該ボタンが押下指示されると、書誌情報入力処理が終了する。なお、上記４０１〜４０８の各項目は、ユーザが適宜設定可能とする。
【００７４】
図５は、図１に示した複合機７０のプリントエンジン７３で印刷される文書管理票（ＯＣＲ用仕切用紙）の一例を示す図であり、例えば書誌情報部５５で管理される書誌情報に基づいて登録処理部５９が作成して、例えば所定のＰＤＬデータとして、プリントエンジン７３で印刷されるものとする。なお、仕切用紙のイメージ出力は、複合機７０で印刷するのが望ましいが、クライアントＰＣ６１〜６３にローカル接続されるプリンタから印刷される構成であってもよい。
【００７５】
図５において、９１はフォーム番号領域で、仕切用紙上の所定位置（例えば右上隅）に一意のフォーム番号（図１に示した書誌情報部５５に記憶される）が印刷される。このフォーム番号は同一の仕切用紙では同一の番号が用いられる。
【００７６】
９２は管理番号エリアで、ＯＣＲ認識効率を高めるため所定サイズ以上で一意の管理番号が印刷される。この管理番号は登録処理部５９により一意の番号が採番され、書誌情報部５５に他の書誌項目の情報と共に記憶される。なお、フォームを一元化するための、ＯＣＲ負担を軽減するため、管理番号の印刷位置は一定としている。なお、この管理番号にはＯＣＲ認識エラーを検出又は訂正するためのチェック桁（チェックディジット）を含んでも良い。この管理番号は通常数字のみ又は英数字で構成される記号を含んでも良い。
【００７７】
また、それ以外の印刷項目は、図４に示した書式事項に準ずるが、全ての書誌入力項目を印刷するかどうかは、任意とする。なお、仕切用紙を回覧要（決済用）の表紙としても良い。
【００７８】
９３は文書名エリアであり、図４に示した収受文書名４０１に設定された文書名が設定される。
【００７９】
図６は、本発明に係るデータ処理装置における第１のデータ処理手順の一例を示すフローチャートであり、情報処理サーバ５０による図１に示したクライアントＰＣ６２またはクライアントＰＣ６３からの書誌情報に基づく仕切用紙作成印刷にかかる一連の処理手順に対応する。なお、Ｓ５０１は、クライアントＰＣ６２またはクライアントＰＣ６３におけるステップで、Ｓ５２１〜Ｓ５２６は情報処理サーバ５０のステップに対応する。また、各手順は、クライアントＰＣ６２またはクライアントＰＣ６３においては、ハードディスク３８からＲＡＭ３２に当該処理プログラムをロードして、ＣＰＵ３１が実行することにより達成され、また、情報処理サーバ５０においては、ハードディスク２８からＲＡＭ２２に当該処理プログラムをロードして、ＣＰＵ２１が実行することにより達成されるものとする。
【００８０】
まず、クライアントＰＣ６２またはクライアントＰＣ６３において、図４に示した書誌情報入力画面で設定された書誌情報が情報処理サーバ５０に送信される（Ｓ５０１）。
【００８１】
そして、該書誌情報を情報処理サーバ５０が受信すると、ステップＳ５２１で、該書誌情報を書誌情報部５５に登録する。次に、ステップＳ５２２で、管理番号エリア９２に印刷する管理番号を採番する。そして、管理番号が付与されたら、受信している書誌情報に基づいて、ステップＳ５２３で、図５に示した文書管理票を印刷するための仕切紙印刷情報を生成する。そして、ステップＳ５２４で、図示しない印刷指定画面で、文書管理票を彩色指定があるかどうかを判断して、ＮＯならばステップＳ５２６へ進み、ＹＥＳならば、ステップＳ５２５で、ステップＳ５２３で生成した仕切紙印刷情報をカラー出力に更新し、ステップＳ５２６で、ステップＳ５２５で更新した文書管理票の印刷データを複合機７０に転送して、処理を終了する。これにより、図５に示した文書管理票がプリントエンジン７３から出力される。この彩色指定により文書管理票の一部が着色されるので、目視で仕切用紙であることを識別するのが容易になる。
【００８２】
図７は、本発明に係るデータ処理装置における第２のデータ処理手順の一例を示すフローチャートであり、情報処理サーバ５０による図１に示した複合機７０からの文書管理票処理にかかる一連の処理手順に対応する。なお、Ｓ６０１，Ｓ６０２は、複合機７０におけるステップで、Ｓ６０３〜Ｓ６１２は情報処理サーバ５０のステップに対応する。また、各手順は、情報処理サーバ５０においては、ハードディスク２８からＲＡＭ２２に当該処理プログラムをロードして、ＣＰＵ２１が実行することにより達成されるものとする。
【００８３】
なお、本処理前に、ユーザにより、図６に示したステップＳ５２６に基づいて、複合機７０で印刷された管理票（仕切紙）と電子化対象の文書（原稿束（通常複数文書））を一まとめにして、複合機の図示しないドキュメントフィーダ（ＡＤＦ）にセットされているものとする。
【００８４】
まず、複合機７０の図示しない操作パネル上より読み取りを指示すると、ステップＳ６０１で、セットされた原稿の画像読み取りを開始し、ステップＳ６０２で、セットされた原稿束の原稿（書類）が終了となるまで、ステップＳ６０１を繰り返す。そして、該ステップＳ６０１，Ｓ６０２で、原稿束の画像データは、ネットワーク１０を介して画像情報部５６の記憶エリアに一時的に蓄積される。
【００８５】
次に、ステップＳ６０３で、ＯＣＲ処理部５３が画像情報部５６から蓄積された画像データをページ単位に読み出し、あらかじめフォーム番号エリア９１に限定される領域と管理番号エリア９２に対してＯＣＲ処理を実行する。
【００８６】
そして、ステップＳ６０４で、蓄積されたページ中に、仕切紙と認定するフォーム番号を検出できたか否かにより該画像データが仕切紙（仕切り紙は、通常各文書の先頭にセットされる）であるかどうかを判断して、仕切紙であると判断した場合は、ステップＳ６０５、そのフォーム番号に対応するエリアで認識された管理番号と書誌情報部５５で管理される管理番号とを照合し、ステップＳ６０６で、管理番号の照合結果が一致したかどうかを判断して、照合結果が一致していると判断した場合は、ステップＳ６０７で、画像情報部５６上に、画像保管のための保管フォルダを生成し、書誌情報とこの保管フォルダのフォルダ名の関連付け情報も生成し、この関連付け情報は書誌情報５５に記憶される。ステップＳ６１２で、保管フォルダを対象フォルダに設定して、ステップＳ６０３へ戻る。これにより、管理票以外の画像データを保存するための対象フォルダが作成され、ＯＣＲ蓄積準備が完了する。
【００８７】
一方、ステップＳ６０６で、一致していないと判断した場合は、ステップＳ６１１で、画像情報部５６上に、一時保存のための一時フォルダを生成し、ステップＳ６１２で、一時フォルダを対象フォルダに設定して、ステップＳ６０３へ戻る。この一時フォルダは個別にオペレータが確認するためのものである。
【００８８】
一方、ステップＳ６０４で、仕切紙でないと判断した場合は、ステップＳ６０９で、画像データを蓄積するための対象フォルダに当該ページの画像データを保存する。そして、ステップＳ６１０で、管理番号に従属して管理されるページ数等を含む管理情報を更新して、ステップＳ６０３へ戻る。この管理情報も書誌情報５５に記憶される。
【００８９】
以上説明した図７の文書読込処理により、仕切り紙と各原稿とからなる一連の原稿画像を順次読み取って得られる画像データを仕切り紙上に印刷された書誌情報に応じたフォルダに格納することができる。
【００９０】
図８は、本発明に係るデータ処理装置における第３のデータ処理手順の一例を示すフローチャートであり、情報処理サーバ５０による図１に示した画像情報部５６に保持される保管フォルダに蓄積された画像データのＯＣＲ処理を含む画像データ登録に関する一連の処理手順に対応する。なお、Ｓ７０１〜Ｓ７０９は情報処理サーバ５０のステップに対応する。また、各手順は、情報処理サーバ５０においては、ハードディスク２８からＲＡＭ２２に当該処理プログラムをロードして、ＣＰＵ２１が実行することにより達成されるものとする。
【００９１】
まず、画像情報部５６の記憶エリアに一時的に蓄積された画像データがあるかどうかを指定時間帯（昼休み中、夜間、祝日等（予め管理者により指定され、実行パラメータとして図１に示したジョブ制御部５４に登録されている））に判定して、蓄積されていると判定した場合に処理を開始する。まず、ステップＳ７０１で、保管フォルダに蓄積された画像データをページ単位に読み込み、ステップＳ７０２で、画像読み込みが成功したか否かにより画像の終わりかどうかを判断して、画像の終わりでないと判断した場合は、ステップＳ７０３で、そのページ全体の画像データをスキャンして所定のＯＣＲ処理を実行する。
【００９２】
そして、ステップＳ７０４で、ステップＳ７０３でＯＣＲ処理されたテキスト情報をテキスト情報部５７に作成される登録ファイルにテキストデータを追加して、ステップＳ７０１へ戻る。
【００９３】
一方、ステップＳ７０２で、画像の終わりと判断された場合は、ステップＳ７０５で、登録ファイルに登録されたテキストデータと、書誌情報部５５で登録された書誌情報（テキストデータ）とを照合して、ステップＳ７０６で、照合結果が一致したかどうかを判断して、一致しないと判断した場合には、ステップＳ７０９で、ＯＣＲ処理部５３上のワークで管理されるＯＣＲ処理結果一覧の管理番号に従うエリアのフラグに処理結果「エラー」を示す情報をセットし、ステップＳ７０８へ進む。
【００９４】
一方、ステップＳ７０６で、照合結果が一致したと判断した場合には、ステップＳ７０７で、ＯＣＲ処理部５３上のワークで管理されるＯＣＲ処理結果一覧の管理番号に従うエリアのフラグに処理結果「ＯＫ」を示す情報を、図１に示したジョブ制御部５４で管理されるテーブル上にセットする。
【００９５】
そして、ステップＳ７０８で、テキスト情報部５７に確保された登録ファイルに記憶されたテキストデータに対して、ステップＳ７０７またはステップＳ７０９で設定されたフラグが付加された管理データを付加された登録ファイルをデータベースサーバ８０に登録する指示を行い、処理を終了する。以後、テキストファイルが登録処理部５９がネットワーク１０を介して、データベースサーバ８０へ転送される。
【００９６】
図９は、図１に示したクライアントＰＣ６１〜６３で表示される登録ファイルのＯＣＲ処理結果一覧画面の一例を示す図であり、クライアントＰＣ６２，６３よりジョブ制御部５４へ一覧要求を行うことにより取得されるＯＣＲ処理結果一覧をクライアントＰＣ６２，６３に表示した状態に対応する。
【００９７】
図９において、Ｂ１，Ｂ２はボタンで、ボタンＢ１が押下されると、ＯＣＲ処理結果一覧に表示されているページの前ページへスクロールし、ボタンＢ２が押下されると、ＯＣＲ処理結果一覧に表示されているページの次ページへスクロールする。
【００９８】
Ｂ３は処理明細表示ボタンで、該ボタンＢ３が押下されると、選択されているファイルが開き、テキスト変換状態を確認することができる。Ｂ４は前の画面ボタンで、現在表示されている画面の直前の画面に復帰する際に押下される。
【００９９】
これにより、原稿入力処理を通常の空き時間に高速に行い、処理時間を必要とするＯＣＲ処理については、通常ワークに影響のない指定日時（休日等）に連続処理させることが可能となる。従って、通常ワーク処理時に、大量の原稿入力を効率的に行い、ＯＣＲ処理を夜間や休日に実行し、処理結果を翌日チェックすることが可能となる。
【０１００】
〔第２実施形態〕
上記第１実施形態では、複合機７０と情報処理サーバ５０とが通信可能な画像処理システムに本発明を適用する場合について説明したが、複合機７０の機能を情報処理サーバ５０が備える画像処理システムにも本発明を適用可能である。以下、その実施形態について説明する。
【０１０１】
図１０は、本発明の第２実施形態を示すデータ処理装置を適用可能な画像処理システムの構成を説明するブロック図であり、図１と同一のものには同一の符号を付してある。
【０１０２】
図１０において、５８はプリントエンジンで、入力されるＰＤＬデータあるいはスキャンエンジン５２から読み取られる画像データを記録媒体に印刷処理する。なお、スキャンエンジン５２は、図示しないＡＤＦを備えて、原稿束を１枚ずつ分離して、原稿給紙，原稿読み取り，原稿排紙を繰り返して、原稿画像データを連続的に読み取り、画像情報部５６に蓄積させる。
【０１０３】
なお、画像情報部５６には、選択される画像処理モードに応じて、適宜保管フォルダが作成され、管理情報も同時に保持される。
【０１０４】
なお、他の構成および動作については、第１実施形態と同様である。
【０１０５】
また、本発明におけるＯＣＲ処理を伴う原稿画像の読み取り指示は、図示しない操作部より、当該ＯＣＲ処理開始スケジュール（後述するスケジュールモード）に基づき、画像処理部５６に蓄積された画像データに対して行うものとする。
【０１０６】
さらに、ＯＣＲ対象原稿の画像入力処理と、該画像入力された画像データに対するＯＣＲ処理とは、連続的に行うモードと、スケジュールモードとを選択可能として、その実行タイミングを自在に変更設定できるように構成してもよい。
【０１０７】
そして、スケジュールモードが設定された場合は、指定されたスケジュールの指定時刻に、画像処理部５６に該当する画像データが蓄積されているかどうかを確認して、該当する画像データが蓄積されている場合には、自動的にＯＣＲ処理を開始するものとする。そして、ＯＣＲ結果は、図１０に示したおＣＲ処理結果一覧で表示可能とするように、ジョブ制御部５４がＯＣＲ結果情報を記憶管理している。
【０１０８】
これにより、原稿入力処理を通常の空き時間に高速に行い、処理時間を必要とするＯＣＲ処理については、通常ワークに影響のない指定日時（休日等）に連続処理させることが可能となる。従って、通常ワーク処理時に、大量の原稿入力を効率的に行い、ＯＣＲ処理を夜間や休日に実行し、処理結果を翌日チェックすることが可能となる。なお、仕切用紙は保管文書の表紙として使用することも可能である。
【０１０９】
なお、上記実施形態では、ＯＣＲ処理部５３が情報処理サーバ５０内に構成される場合について説明したが、ＯＣＲ処理部だけを独立した他のサーバ（ＯＣＲサーバ）として構成しても良い。
【０１１０】
このときテキスト情報５７はＯＣＲサーバに記憶される。又スキャンした画像情報と書誌情報をＯＣＲサーバに一括して送信する構成にしても良い。
【０１１１】
このようにＯＣＲサーバを独立させることによって、昼間に情報処理サーバに画像の読み込み処理を実行させつつ、ＯＣＲサーバに文字認識処理及びＤＢサーバへの登録を並行して実行することが可能になり処理速度を一層向上させることができる。
【０１１２】
以下、図１１に示すメモリマップを参照して本発明に係るデータ処理装置で読み出し可能なデータ処理プログラムの構成について説明する。
【０１１３】
図１１は、本発明に係るデータ処理装置で読み出し可能な各種データ処理プログラムを格納する記録媒体のメモリマップを説明する図である。
【０１１４】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１１５】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１１６】
本実施形態における図６〜図８に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１１７】
以上のように、前述した実施形態の機能を実現するソフトウエアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１１８】
この場合、記録媒体から読み出されたプログラムコード自体が本発明の新規な機能を実現することになり、そのプログラムコードを記憶した記録媒体は本発明を構成することになる。
【０１１９】
プログラムコードを供給するための記録媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１２０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２１】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２２】
本発明は上記実施形態に限定されるものではなく、本発明の趣旨に基づき種々の変形（各実施形態の有機的な組合せを含む）が可能であり、それらを本発明の範囲から排除するものではない。
【０１２３】
上記実施形態によれば、書誌情報を別途入力し、書誌情報に関連付けて一意の管理記号を生成するとともに、概管理記号と書誌情報を印刷した仕切り用紙を印刷するので、概仕切り用紙を文書の先頭ページに付加した状態でスキャンすることにより、文書の総枚数を確認しなくても、複数文書を正確な区切りで一括して読み込み、画像読み込み及びＯＣＲ処理（全文検索）を効率的に行うことができる。仕切り用紙は紙文書保管時の表紙として利用でき、廃棄期限を印刷しておけば文書廃棄時の確認も容易になる。更に、仕切り用紙を色地用紙または一部に着色すれば、スキャナから取り出し時の他文書の混入や文書の散逸を防止することが容易になる。
【０１２４】
さらに、書誌事項は手入力し、文書全体はＯＣＲ処理をかけるので、書誌事項の高い信頼度と文書全文検索の便宜を両立させることができる。
【０１２５】
また、画像データを記憶手段に蓄積し、ＯＣＲ処理以降は休日や夜間に実行することもできるので、複写機の稼動時間のうち画像読み込み時間の比率を高め、１日当たりの電子化枚数を大幅に改善することができる。
【０１２６】
さらに、仕切用紙は紙文書保管の表紙として用いることができるので、紙を無駄にしない。
【０１２７】
また、書誌事項にはキーワードを入力する必要はなく、書誌情報入力作業者の負荷を軽減し、電子化効率を改善することができる。
【０１２８】
【発明の効果】
以上説明したように、本発明によれば、管理される書誌情報に基づいて原稿入力管理票形式に従う原稿仕切シートを印刷し、該印刷された原稿仕切シートと各原稿からなる一連の原稿画像を順次読み取って得られる画像データを認識される前記原稿仕切りシート上の書誌情報に応じて蓄積し、指定される文字認識処理実行日時に、蓄積された画像データに基づいて認識した所定のテキストデータと取得される前記書誌情報とを照合して、該蓄積されている画像データに対する認識処理実行を制御するので、文字認識処理を施して管理すべき原稿に対する画像データ入力作業を通常日の特定の時間帯に短時間に終了させ、かつ、該画像データ入力作業後の文字認識処理実行タイミングを該通常日とは異なる画像処理システム環境で最もデータ処理稼働率の低い特定日に移行させることができ、システム全体として負荷がかかる通常日以外に、効率よく文字認識処理を実行させ、その結果をユーザが自在に確認できるデータ処理環境を構築できという効果を奏する。
【図面の簡単な説明】
【図１】本発明の第１実施形態を示すデータ処理装置を適用可能な文書ファイルシステムの一例を示すブロック図である。
【図２】図１に示した情報処理サーバの構成を説明するブロック図である。
【図３】図１に示したクライアントＰＣの構成を説明するブロック図である。
【図４】図２に示したクライアントＰＣあるいはクライアントＰＣのモニタに表示される書誌情報入力画面の一例を示す図である。
【図５】図１に示した複合機のプリントエンジンで印刷される文書管理票（ＯＣＲ用仕切用紙）の一例を示す図である。
【図６】本発明に係るデータ処理装置における第１のデータ処理手順の一例を示すフローチャートである。
【図７】本発明に係るデータ処理装置における第２のデータ処理手順の一例を示すフローチャートである。
【図８】本発明に係るデータ処理装置における第３のデータ処理手順の一例を示すフローチャートである。
【図９】図１に示したクライアントＰＣで表示される登録ファイルのＯＣＲ処理結果一覧画面の一例を示す図である。
【図１０】本発明の第２実施形態を示すデータ処理装置を適用可能が画像処理システムの構成を説明するブロック図である。
【図１１】本発明に係るデータ処理装置で読み出し可能な各種データ処理プログラムを格納する記録媒体のメモリマップを説明する図である。
【符号の説明】
１０  ネットワーク
５０  情報処理サーバ
５１  制御部
５３  ＯＣＲ処理部
５４  ジョブ制御部
５５  書誌情報部
５６  画像情報部
５７  テキスト情報部
５９  登録処理部
６１〜６３  クライアントＰＣ
７０  複合機
８０  データベースサーバ
【図１】
2004213304.tif 000003
【図２】
2004213304.tif 000004
【図３】
2004213304.tif 000005
【図４】
2004213304.tif 000006
【図５】
2004213304.tif 000007
【図６】
2004213304.tif 000008
【図７】
2004213304.tif 000009
【図８】
2004213304.tif 000010
【図９】
2004213304.tif 000011
【図１０】
2004213304.tif 000012
【図１１】
2004213304.tif 000013